【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
画像形成装置であって、
他の画像形成装置に保存されている第１の電子文書に基づいて生成された、ベクタデータとメタデータとを含む複製電子文書を受信する受信手段であって、前記第１の電子文書は、前記第１の電子文書のページに含まれている描画オブジェクトをベクトル化したベクタデータと、メタデータと、前記描画オブジェクトのディスプレイリストである第１の解像度依存ディスプレイリストとを含み、前記複製電子文書に含まれている前記ベクタデータは、前記第１の電子文書に含まれている前記ベクタデータと同じであり、前記複製電子文書に含まれている前記メタデータは前記第１の電子文書の保存位置を示す位置情報を含む、受信手段と、
前記複製電子文書に対する第１の印刷指示が為された場合、前記複製電子文書に含まれている前記ベクタデータから第２の解像度依存ディスプレイリストを生成し、当該生成された第２の解像度依存ディスプレイリストを使用して前記複製電子文書を印刷する手段であって、前記第２の解像度依存ディスプレイリストの解像度は前記画像形成装置の印刷能力に基づいて決定される、手段と、
前記複製電子文書に対する第２の高品質印刷指示が為された場合、前記第２の高品質印刷指示の解像度が、前記第１の電子文書に含まれている前記第１の解像度依存ディスプレイリストの解像度と同じであるかを判断し、前記解像度が同じであると判断されたときは、前記複製電子文書の前記メタデータに含まれている前記位置情報に基づいて特定される前記第１の電子文書に含まれている前記第１の解像度依存ディスプレイリストを使用して前記複製電子文書を印刷し、前記解像度が同じでないと判断されたときは、前記複製電子文書に含まれている前記ベクタデータから描画オブジェクトのディスプレイリストである第２の解像度依存ディスプレイリストを生成して当該生成された第２の解像度依存ディスプレイリストを使用して前記複製電子文書を印刷する、手段と
を備えることを特徴とする画像形成装置。
【請求項２】
前記画像形成装置と前記他の画像形成装置はネットワークを介して接続されていることを特徴とする請求項１に記載の画像形成装置。
【請求項３】
前記第１の電子文書に含まれている前記第１の解像度依存ディスプレイリストは、スキャナを使用して取得したビットマップイメージから生成されることを特徴とする請求項１に記載の画像形成装置。
【請求項４】
画像形成装置で実施される画像形成方法であって、
前記画像形成装置の受信手段が、他の画像形成装置に保存されている第１の電子文書に基づいて生成された、ベクタデータとメタデータとを含む複製電子文書を受信する受信ステップであって、前記第１の電子文書は、前記第１の電子文書のページに含まれている描画オブジェクトをベクトル化したベクタデータと、メタデータと、前記描画オブジェクトのディスプレイリストである第１の解像度依存ディスプレイリストとを含み、前記複製電子文書に含まれている前記ベクタデータは、前記第１の電子文書に含まれている前記ベクタデータと同じであり、前記複製電子文書に含まれている前記メタデータは前記第１の電子文書の保存位置を示す位置情報を含む、受信ステップと、
前記画像形成装置の印刷手段が、前記複製電子文書に対する第１の印刷指示が為された場合に、前記複製電子文書に含まれている前記ベクタデータから第２の解像度依存ディスプレイリストを生成し、当該生成された第２の解像度依存ディスプレイリストを使用して前記複製電子文書を印刷する第１印刷ステップであって、前記第２の解像度依存ディスプレイリストの解像度は前記画像形成装置の印刷能力に基づいて決定される、第１印刷ステップと、
前記画像形成装置の印刷手段が、前記複製電子文書に対する第２の高品質印刷指示が為された場合に、前記第２の高品質印刷指示の解像度が、前記第１の電子文書に含まれている前記第１の解像度依存ディスプレイリストの解像度と同じであるかを判断し、前記解像度が同じであると判断されたときは、前記複製電子文書の前記メタデータに含まれている前記位置情報に基づいて特定される前記第１の電子文書に含まれている前記第１の解像度依存ディスプレイリストを使用して前記複製電子文書を印刷し、前記解像度が同じでないと判断されたときは、前記複製電子文書に含まれている前記ベクタデータから描画オブジェクトのディスプレイリストである第２の解像度依存ディスプレイリストを生成して当該生成された第２の解像度依存ディスプレイリストを使用して前記複製電子文書を印刷する、第２印刷ステップと
を備えることを特徴とする画像形成方法。
【手続補正２】
【補正対象書類名】明細書
【補正対象項目名】００１０
【補正方法】変更
【補正の内容】
【００１０】
上記目的を達成するために、本発明に係る画像形成装置は、他の画像形成装置に保存されている第１の電子文書に基づいて生成された、ベクタデータとメタデータとを含む複製電子文書を受信する受信手段であって、前記第１の電子文書は、前記第１の電子文書のページに含まれている描画オブジェクトをベクトル化したベクタデータと、メタデータと、前記描画オブジェクトのディスプレイリストである第１の解像度依存ディスプレイリストとを含み、前記複製電子文書に含まれている前記ベクタデータは、前記第１の電子文書に含まれている前記ベクタデータと同じであり、前記複製電子文書に含まれている前記メタデータは前記第１の電子文書の保存位置を示す位置情報を含む、受信手段と、前記複製電子文書に対する第１の印刷指示が為された場合、前記複製電子文書に含まれている前記ベクタデータから第２の解像度依存ディスプレイリストを生成し、当該生成された第２の解像度依存ディスプレイリストを使用して前記複製電子文書を印刷する手段であって、前記第２の解像度依存ディスプレイリストの解像度は前記画像形成装置の印刷能力に基づいて決定される、手段と、前記複製電子文書に対する第２の高品質印刷指示が為された場合、前記第２の高品質印刷指示の解像度が、前記第１の電子文書に含まれている前記第１の解像度依存ディスプレイリストの解像度と同じであるかを判断し、前記解像度が同じであると判断されたときは、前記複製電子文書の前記メタデータに含まれている前記位置情報に基づいて特定される前記第１の電子文書に含まれている前記第１の解像度依存ディスプレイリストを使用して前記複製電子文書を印刷し、前記解像度が同じでないと判断されたときは、前記複製電子文書に含まれている前記ベクタデータから描画オブジェクトのディスプレイリストである第２の解像度依存ディスプレイリストを生成して当該生成された第２の解像度依存ディスプレイリストを使用して前記複製電子文書を印刷する、手段とを備えることを特徴とする。
【手続補正３】
【補正対象書類名】明細書
【補正対象項目名】００１１
【補正方法】変更
【補正の内容】
【００１１】
また、上記目的を達成するために、本発明に係る画像形成方法は、画像形成装置で実施される画像形成方法であって、前記画像形成装置の受信手段が、他の画像形成装置に保存されている第１の電子文書に基づいて生成された、ベクタデータとメタデータとを含む複製電子文書を受信する受信ステップであって、前記第１の電子文書は、前記第１の電子文書のページに含まれている描画オブジェクトをベクトル化したベクタデータと、メタデータと、前記描画オブジェクトのディスプレイリストである第１の解像度依存ディスプレイリストとを含み、前記複製電子文書に含まれている前記ベクタデータは、前記第１の電子文書に含まれている前記ベクタデータと同じであり、前記複製電子文書に含まれている前記メタデータは前記第１の電子文書の保存位置を示す位置情報を含む、受信ステップと、前記画像形成装置の印刷手段が、前記複製電子文書に対する第１の印刷指示が為された場合に、前記複製電子文書に含まれている前記ベクタデータから第２の解像度依存ディスプレイリストを生成し、当該生成された第２の解像度依存ディスプレイリストを使用して前記複製電子文書を印刷する第１印刷ステップであって、前記第２の解像度依存ディスプレイリストの解像度は前記画像形成装置の印刷能力に基づいて決定される、第１印刷ステップと、前記画像形成装置の印刷手段が、前記複製電子文書に対する第２の高品質印刷指示が為された場合に、前記第２の高品質印刷指示の解像度が、前記第１の電子文書に含まれている前記第１の解像度依存ディスプレイリストの解像度と同じであるかを判断し、前記解像度が同じであると判断されたときは、前記複製電子文書の前記メタデータに含まれている前記位置情報に基づいて特定される前記第１の電子文書に含まれている前記第１の解像度依存ディスプレイリストを使用して前記複製電子文書を印刷し、前記解像度が同じでないと判断されたときは、前記複製電子文書に含まれている前記ベクタデータから描画オブジェクトのディスプレイリストである第２の解像度依存ディスプレイリストを生成して当該生成された第２の解像度依存ディスプレイリストを使用して前記複製電子文書を印刷する、第２印刷ステップとを備えることを特徴とする。